【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
ターゲットまでの距離を決定するように構成された絶対距離計であって、
光ビームを放出するように構成された光源と、
スイッチ制御信号に応答して少なくとも２つの経路間で切り換わるように構成された少なくとも１つの光スイッチを有するファイバ交換網であって、前記経路のうちの第１の経路が、前記光ビームが前記ファイバ交換網から光学ファイバの端部を通って前記ターゲットの方へ放出され、測定光ビームとして前記光学ファイバの前記端部を通って後方反射されて前記ファイバ交換網内へ戻る測定モードを可能にし、前記経路のうちの第２の経路が、前記光ビームが前記ファイバ交換網内の基準光ビームを含む基準モードを可能にする、ファイバ交換網と、
時間的に間隔を空けて多重化した形で前記測定および基準光ビームを検出するように構成され、前記検出した測定および基準光ビームに対応する電気信号を提供するように構成された単一チャネル検出器と、
前記電気信号を処理し、それに応答して調整された電気信号を提供するように構成された単一チャネル信号処理装置と、
前記スイッチ制御信号のタイミングを制御するように構成された電子部と、
前記調整された電気信号を処理して前記ターゲットまでの前記距離を決定するように構成されたデータ処理装置と、
を含むことを特徴とする絶対距離計。
【請求項２】
請求項１に記載の絶対距離計であって、前記光源は、レーザ又は高輝度ダイオードを含み、前記光ビームがレーザ光ビーム又は高輝度ダイオード光ビームであることを特徴とする絶対距離計。
【請求項３】
請求項１に記載の絶対距離計であって、前記単一チャネル信号処理装置は、前記光ビームのパワー、偏光、波長、又はそれらの組み合わせをシヌソイド化、パルス化、断続化又はこれらの組み合わせとして変調するために、前記光源に変調信号を提供するように構成されることを特徴とする絶対距離計。
【請求項４】
請求項１に記載の絶対距離計であって、前記単一チャネル信号処理装置は、前記測定モード経路と前記基準モード経路の間で前記少なくとも１つの光スイッチの前記切換えを制御するために、前記スイッチ制御信号を提供するように構成されることを特徴とする絶対距離計。
【請求項５】
請求項１に記載の絶対距離計であって、前記絶対距離計は、レーザ追跡装置、統合型測量機器、レーザスキャナ及びハンドヘルド装置の１つで使用するためのものであることを特徴とする絶対距離計。
【請求項６】
請求項１に記載の絶対距離計であって、前記ファイバ交換網が、
前記放出光ビームならびに前記測定および基準光ビームが通過するように構成された少なくとも１つの光ファイバ結合器と、
部分的ファイバ再帰反射器と、をさらに含み、
前記少なくとも１つの光ファイバ結合器が、前記単一チャネル検出器へ、前記光源へ、そして前記少なくとも１つの光スイッチへ光学的に接続され、
前記測定モードでは、前記放出光ビームが、前記光源から前記少なくとも１つの光ファイバ結合器を通って、前記測定モード経路にある前記少なくとも１つの光スイッチへ、そして前記ターゲットへ送られ、また前記ターゲットからの前記測定光ビームが、前記測定モード経路にある前記少なくとも１つの光スイッチを通過し、前記少なくとも１つの光ファイバ結合器を通って前記単一チャネル検出器へ進むように構成され、
前記基準モードでは、前記放出光ビームが、前記光源から前記少なくとも１つの光ファイバ結合器を通って、前記基準モード経路にある前記少なくとも１つの光スイッチへ、そして前記部分的ファイバ再帰反射器へ送られるように構成され、また前記部分的ファイバ再帰反射器から反射された前記基準光ビームが、前記基準モード経路にある前記少なくとも１つの光スイッチを通過し、前記少なくとも１つの光ファイバ結合器を通って前記単一チャネル検出器へ進むように構成されることを特徴とする絶対距離計。
【請求項７】
請求項１に記載の絶対距離計であって、前記ファイバ交換網が、
前記放出光ビームならびに前記測定および基準光ビームが通過するように構成された光サーキュレータと、
部分的ファイバ再帰反射器とをさらに含み、
前記光サーキュレータが、前記単一チャネル検出器へ、前記光源へ、そして前記少なくとも１つの光スイッチへ光学的に接続され、
前記測定モードでは、前記放出光ビームが、前記光源から前記光サーキュレータを通って、前記測定モード経路にある前記少なくとも１つの光スイッチへ、そして前記ターゲットへ送られるように構成され、また前記ターゲットからの前記測定光ビームが、前記測定モード経路にある前記少なくとも１つの光スイッチを通過し、前記光サーキュレータを通って前記単一チャネル検出器へ進むように構成され、
前記基準モードでは、前記放出光ビームが、前記光源から前記光サーキュレータを通って、前記基準モード経路にある前記少なくとも１つの光スイッチへ、そして前記部分的ファイバ再帰反射器へ送られるように構成され、また前記部分的ファイバ再帰反射器から反射された前記基準光ビームが、前記基準モード経路にある前記少なくとも１つの光スイッチを通過し、前記光サーキュレータを通って前記単一チャネル検出器へ進むように構成されることを特徴とする絶対距離計。
【請求項８】
請求項１に記載の絶対距離計であって、前記ファイバ交換網が、
前記放出光ビームならびに前記測定および基準光ビームが通過するように構成された第１および第２の光ファイバ結合器をさらに含み、
前記第１の光ファイバ結合器が、前記光源へ、前記少なくとも１つの光スイッチへ、そして前記第２の光ファイバ結合器へ光学的に接続され、
前記第２の光ファイバ結合器が、前記第１の光ファイバ結合器へ、前記少なくとも１つの光スイッチへ、そして前記光源へ光学的に接続され、
前記測定モードでは、前記放出光ビームが、前記光源から前記第１の光ファイバ結合器を通り、前記第２の光ファイバ結合器を通って前記ターゲットへ送られるように構成され、また前記ターゲットからの前記測定光ビームが、前記第２の光ファイバ結合器を通過して、前記測定モード経路にある前記少なくとも１つの光スイッチへ、そして前記単一チャネル検出器へ進むように構成され、
前記基準モードでは、前記放出光ビームが、前記光源から前記第１の光ファイバ結合器を通って、前記基準モード経路にある前記少なくとも１つの光スイッチへ、そして前記単一チャネル検出器へ前記基準光ビームとして送られるように構成されることを特徴とする絶対距離計。
【請求項９】
請求項１に記載の絶対距離計であって、前記ファイバ交換網が、
前記放出光ビームならびに前記測定および基準光ビームが通過するように構成された少なくとも１つの光ファイバ結合器と、
第２および第３の光スイッチと、
部分的ファイバ再帰反射器とをさらに含み、
前記少なくとも１つの光ファイバ結合器が、前記単一チャネル検出器へ、前記光源へ、そして前記少なくとも１つの光スイッチへ光学的に接続され、
前記測定モードでは、前記放出光ビームが、前記光源から前記少なくとも１つの光ファイバ結合器を通って、前記測定モード経路にある前記少なくとも１つの光スイッチへ、前記測定モード経路にある前記第２の光スイッチへ、そして前記ターゲットへ送られるように構成され、また前記ターゲットからの前記測定光ビームが、前記測定モードにある前記第２の光スイッチを通過し、前記測定モード経路にある少なくとも１つの光スイッチを通って、そして前記少なくとも１つの光ファイバ結合器を通って前記単一チャネル検出器へ進むように構成され、
前記基準モードでは、前記放出光ビームが、前記光源から前記少なくとも１つの光ファイバ結合器を通って、前記基準モード経路にある前記少なくとも１つの光スイッチへ、前記基準モード経路にある前記第３の光スイッチへ、そして前記部分的ファイバ再帰反射器へ送られるように構成され、また前記部分的ファイバ再帰反射器から反射された前記基準光ビームが、前記基準モード経路にある前記第３の光スイッチを通過し、前記基準モード経路にある少なくとも１つの光スイッチを通って、そして前記少なくとも１つの光ファイバ結合器を通って前記単一チャネル検出器へ進むように構成されることを特徴とする絶対距離計。
【請求項１０】
請求項１に記載の絶対距離計であって、前記ファイバ交換網が、
前記放出光ビームならびに前記測定および基準光ビームが通過するように構成された少なくとも１つの光ファイバ結合器と、
第２の光スイッチと、
部分的ファイバ再帰反射器とをさらに含み、
前記少なくとも１つの光ファイバ結合器が、前記単一チャネル検出器へ、前記光源へ、前記少なくとも１つの光スイッチへ、そして前記第２の光スイッチへ光学的に接続され、
前記測定モードでは、前記放出光ビームが、前記光源から前記少なくとも１つの光ファイバ結合器を通って、前記測定モード経路にある前記少なくとも１つの光スイッチへ、そして前記ターゲットへ送られるように構成され、また前記ターゲットからの前記測定光ビームが、前記測定モード経路にある前記少なくとも１つの光スイッチを通過し、前記少なくとも１つの光ファイバ結合器を通って前記単一チャネル検出器へ進むように構成され、
前記基準モードでは、前記放出光ビームが、前記光源から前記少なくとも１つの光ファイバ結合器を通って、前記基準モード経路にある前記第２の光スイッチへ、そして前記部分的ファイバ再帰反射器へ送られるように構成され、また前記部分的ファイバ再帰反射器から反射された前記基準光ビームが、前記基準モード経路にある前記少なくとも１つの光スイッチを通過し、前記少なくとも１つの光ファイバ結合器を通って前記単一チャネル検出器へ進むように構成されることを特徴とする絶対距離計。
【請求項１１】
請求項１０に記載の絶対距離計であって、前記少なくとも１つの光スイッチおよび前記第２の光スイッチがそれぞれ、第１の最小レベルと第２の最大レベルの間で駆動されるように構成された光変調器または減衰器を含み、前記光変調器または前記減衰器では、前記少なくとも１つの光スイッチおよび前記第２の光スイッチがスイッチとして働くことを特徴とする絶対距離計。
【請求項１２】
請求項１に記載の絶対距離計であって、前記ファイバ交換網から前記放出光ビームを受け取って前記放出光ビームを前記ターゲットの方へ伝送するように構成され、また前記ターゲットから前記測定光ビームを受け取って前記測定光ビームを前記ファイバ交換網の方へ伝送するように構成された光学アセンブリをさらに含むことを特徴とする絶対距離計。
【請求項１３】
請求項１２に記載の絶対距離計であって、可視レーザを放出するように構成された可視レーザ光源をさらに含み、前記光学アセンブリが、前記放出可視レーザ光を前記ファイバ交換網からの前記放出光ビームと組み合わせて複合放出光ビームを形成し、前記複合放出光ビームを前記ターゲットの方へ伝送するように構成された光学系を含むことを特徴とする絶対距離計。
【請求項１４】
請求項１に記載の絶対距離計であって、前記ターゲットは、再帰反射器であることを特徴とする絶対距離計。
【請求項１５】
請求項１に記載の絶対距離計であって、前記少なくとも１つの光スイッチは、低反射終端によって終端されている第２の光学ファイバであることを特徴とする絶対距離計。
【請求項１６】
請求項１に記載の絶対距離計であって、
前記光ビームは、前記少なくとも１つの光スイッチを第１の方向に通るように構成され、
前記測定光ビームは、前記少なくとも１つの光スイッチを前記第１の方向とは反対の第２の方向に通るように構成されることを特徴とする絶対距離計。
【請求項１７】
請求項１に記載の絶対距離計であって、第２の光スイッチは、前記２つの経路の遮断を強くするように前記少なくとも１つの光スイッチとカスケード接続されていることを特徴とする絶対距離計。
【請求項１８】
ターゲットまでの距離を決定するように構成された絶対距離計であって、
レーザビームを放出するように構成された光源と、
スイッチ制御信号に応答して２つの経路間で切り換わるように構成された光スイッチを有するファイバ交換網であって、
前記経路のうちの第１の経路は、前記レーザビームが前記ファイバ交換網から光学ファイバの端部を通って前記ターゲットの方へ放出され、測定光ビームとして前記光学ファイバの前記端部を通って後方反射されて前記ファイバ交換網内へ戻る測定モード経路であり、
前記経路のうちの第２の経路は、前記光ビームが前記ファイバ交換網内の基準光ビームを構成する基準モード経路である、ファイバ交換網と、
多重化した形で前記測定および基準光ビームを検出し、前記検出した測定および基準光ビームに対応する電気信号を提供するように構成された単一チャネル検出器と、
前記スイッチ制御信号のタイミングを制御するように構成された電子部と、
前記電気信号を処理して前記ターゲットまでの前記距離を決定するように構成された処理装置と、
を含むことを特徴とする絶対距離計。
【請求項１９】
請求項１８に記載の絶対距離計であって、
前記処理装置は、前記レーザを変調するための変調信号を前記レーザに提供するように構成されることを特徴とする絶対距離計。
【請求項２０】
請求項１８に記載の絶対距離計であって、
前記処理装置は、前記測定モード経路と前記基準モード経路との間で前記光スイッチを切り替える制御を行うためのスイッチ制御信号を提供するように構成されることを特徴とする絶対距離計。
【請求項２１】
請求項１８に記載の絶対距離計であって、
前記絶対距離計は、レーザ追跡装置、統合型測量機器、レーザスキャナ及びハンドヘルド装置の１つで使用するためのものであり、前記ターゲットは、再帰反射器であることを特徴とする絶対距離計。
【請求項２２】
請求項１８に記載の絶対距離計であって、
前記ファイバ交換網からの前記放出光ビームを受光し、前記ターゲットに対して前記放出光ビームを伝達させるように構成され、前記ターゲットからの前記測定光ビームを受光し、前記ファイバ交換網へ前記基準光ビームを伝達させるように構成された光学アセンブリをさらに備えることを特徴とする絶対距離計。